(57)【要約】      （修正有）【課題】保温で省エネルギーの外壁複合型保温装飾板を提供する。【解決手段】板本体を含み、前記板本体がＸＰＳ保温介在層１を含み、ＸＰＳ保温介在層１の両側にそれぞれアルミニウム合金パネル層２が設けられ、アルミニウム合金パネル層２の両表面のうちＸＰＳ保温介在層１から離れる側の一方の面にフルオロカーボン塗料層が設けられており、ＸＰＳ保温介在層１はＸＰＳ保温層を２層含み、２層のＸＰＳ保温層の間に補強層が設けられ、ＸＰＳ保温層が接着層を介して補強層に固定接続され、接着層が高分子ポリマー接着剤により作成されており、補強層は、金属網と金属網の両側に接着されたメッシュ生地を含み、金属網のメッシュが大きくて、メッシュ生地のメッシュが小さくて、金属網の表面にメッシュ生地を垂直に貫通する金属短針が設けられ、板本体の縁部に締付けファスナー４がさらに設けられている。【選択図】図１
0003218320.tif 000002
【実用新案登録請求の範囲】
【請求項１】
板本体を含み、前記板本体がXPS保温介在層を含み、前記XPS保温介在層の両側にそれぞれアルミニウム合金パネル層が設けられ、前記アルミニウム合金パネル層の両表面のうち前記XPS保温介在層から離れる側の一方の面にフルオロカーボン塗料層が設けられており、
前記XPS保温介在層はXPS保温層を2層含み、2層の前記XPS保温層の間に補強層が設けられ、前記XPS保温層が接着層を介して前記補強層に固定接続され、前記接着層が高分子ポリマー接着剤により作成されており、
前記補強層は、金属網と前記金属網の両側に接着されたメッシュ生地を含み、前記金属網のメッシュが大きくて、前記メッシュ生地のメッシュが小さくて、前記金属網の表面に前記メッシュ生地を垂直に貫通する金属短針が設けられ、前記板本体の縁部に締付けファスナーがさらに設けられていることを特徴とする保温で省エネルギーの外壁複合型保温装飾板。
【請求項２】
前記板本体の縁部がエッジバンディング層に覆われていることを特徴とする請求項１に記載の保温で省エネルギーの外壁複合型保温装飾板。
【考案の詳細な説明】
【技術分野】
【０００１】
本実用新案は、保温板に関し、特に保温で省エネルギーの外壁複合型保温装飾板に関する。
【背景技術】
【０００２】
外壁保温板は、主に、住宅建築物、工業建築物、公共建築物の壁、ビルの屋根、冷凍庫、プール、ボイラー、及び特別な防水要求がある保温工事に用いられている。今現在の部屋建築において省エネルギー化の要求を満たし、工業や民用建築物の外壁の保温水準を向上するには望ましい部材であり、既存の建築物に対する省エネルギー化への改造にも好ましい部材である。その用途は非常に広がっているため、該外壁保温板の強度、保温性、耐久性及び安全性のすべてにおいて非常に重要である。
【考案の概要】
【考案が解決しようとする課題】
【０００３】
本実用新案の目的は、上記の課題を解決でき、強度が強く、保温性がよく、安全で、耐用性のある工業の生産による凝結水余熱のリサイクルシステムを提供することにある。
【課題を解決するための手段】
【０００４】
上記の目的を実現するために、本実用新案の技術方案は、以下の通りである。
保温で省エネルギーの外壁複合型保温装飾板は、板本体を含み、前記板本体がXPS保温介在層を含み、前記XPS保温介在層の両側にそれぞれアルミニウム合金パネル層が設けられ、前記アルミニウム合金パネル層の両表面のうち前記XPS保温介在層から離れる側の一方の面にフルオロカーボン塗料層が設けられており、前記XPS保温介在層はXPS保温層を2層含み、2層の前記XPS保温層の間に補強層が設けられ、前記XPS保温層が接着層を介して前記補強層に固定接続され、前記接着層が高分子ポリマー接着剤により作成されており、前記補強層は、金属網と前記金属網の両側に接着されたメッシュ生地を含み、前記金属網のメッシュが大きくて、前記メッシュ生地のメッシュが小さくて、前記金属網の表面に前記メッシュ生地を垂直に貫通する金属短針が設けられ、前記板本体の縁部に締付けファスナーがさらに設けられている。
【０００５】
より好ましくは、前記板本体の縁部がエッジバンディング層に覆われている。
【考案の効果】
【０００６】
従来の技術と比較すると、本実用新案の優れた点は、板本体は、押出ポリスチレン発泡プラスチック（以下、XPSとも称される）保温介在層をアルミニウム合金パネル層に挟んで構成されているが、本実施の形態においてXPS保温介在層は保温性が優れて、強度が高いため、本実用新案の全体として優れる保温性と高強度を具備するようになる。板本体が互いに締付けファスナーにより接続されることによって、全体の安全確実化が実現される。アルミニウム合金パネル層の表面塗布層がフルオロカーボン塗料層で、優れる耐汚染性、耐久性と色安定性を具備する。
【０００７】
前記補強層は、金属網と前記金属網の両側に接着されたメッシュ生地を含み、前記金属網のメッシュが大きくて、前記メッシュ生地のメッシュが小さくて、両メッシュが異なっているため、力を受けると分散力の方向が異なってなる。これによって、補強層の強度を増加させる。
【０００８】
金属網の表面に金属短針が設けられているが、金属網をメッシュ生地に接着させると、金属短針が補強層の表面より突出する。さらにXPS保温層に接着させると、接着層が確実的に握られるという効果が生じられる。これによって、XPS保温介在層の全体均一性を保証することができる。
【０００９】
本実用新案にかかる外壁保温板は組立が容易で、快速に行える。建築物の壁の外観性と工事条件のいろんな要求を最大に満足することができる。中国の寒い地域や夏が暑くて冬が寒い地域の民用建築や工業建築の保温で省エネルギーの装飾と元々の建物の壁の改造などに大幅に適用することができる。
【図面の簡単な説明】
【００１０】
【図１】図１は、本実用新案の構造を示す図である。
【図２】図１に示されるXPS保温介在層の構造を示す図である。
【図３】図１に示される補強層の構造を示す図である。
【考案を実施するための形態】
【００１１】
以下、図面とともに本実用新案について、さらに説明する。
実施例
図１、図２、図３を参考されたい。
保温で省エネルギーの外壁複合型保温装飾板は、板本体を含み、前記板本体がXPS保温介在層1を含み、前記XPS保温介在層1の両側にそれぞれアルミニウム合金パネル層2が設けられ、前記アルミニウム合金パネル層2の両表面のうち前記XPS保温介在層1から離れる側の一方の面にフルオロカーボン塗料層が設けられており、前記XPS保温介在層1はXPS保温層7を2層含み、2層の前記XPS保温層7の間に補強層5が設けられ、前記XPS保温層7が接着層6を介して前記補強層5に固定接続され、前記接着層6が高分子ポリマー接着剤により作成されており、前記補強層5は、金属網8と前記金属網8の両側に接着されたメッシュ生地9を含み、前記金属網8のメッシュが大きくて、前記メッシュ生地9のメッシュが小さくて、前記金属網8の表面に前記メッシュ生地9を垂直に貫通する金属短針10が設けられ、前記板本体の縁部に締付けファスナー4がさらに設けられている。前記板本体の縁部がエッジバンディング層3に覆われている。
【００１２】
本実用新案において、前記補強層5は、金属網8と前記金属網8の両側に接着されたメッシュ生地9を含み、前記金属網8のメッシュが大きくて、前記メッシュ生地9のメッシュが小さくて、両メッシュが異なっているため、力を受けると分散力の方向が異なってなる。これによって、補強層5の強度を増加させる。
【００１３】
金属網8の表面に金属短針10が設けられているが、金属網8をメッシュ生地9に接着させると、金属短針10が補強層5の表面より突出する。さらにXPS保温層7に接着させると、接着層6が確実的に握られるという効果が生じられる。これによって、XPS保温介在層1の全体均一性を保証することができる。
【００１４】
XPS保温介在層1の両側にアルミニウム合金パネル層2が設けられ、そしてその全体が互いに締付けファスナー4により接続される。このため、本実用新案の全体均一性が優れて、より堅実で耐久的である。前記接着層6が高分子ポリマー接着剤により製作されているので、接着強度が大きい。金属網8の表面に防錆塗布層が設けられているので、錆びて酸化することが難しい。なお、板本体の縁部がエッジバンディング層3に覆われているので、見かけが良くなる。
【００１５】
本実用新案にかかる外壁保温板は組立が容易で、快速に行える。建築物の壁の外観性と工事条件のいろんな要求を最大に満足することができる。中国の寒い地域や夏が暑くて冬が寒い地域の民用建築や工業建築の保温で省エネルギーの装飾と元々の建物の壁の改造などに大幅に適用することができる。
【符号の説明】
【００１６】
１  XPS保温介在層
２  アルミニウム合金パネル層
３  エッジバンディング層
４  締付けファスナー
５  補強層
６  接着層
７  XPS保温層
８  金属網
９  メッシュ生地
１０  金属短針
【図１】
0003218320.tif 000003
【図２】
0003218320.tif 000004
【図３】
0003218320.tif 000005